(57)【要約】信号の交流成分を検出する電子回路は、前記信号によって到達された極大信号レベルを保持する極大ホールド検出器（１）と、前記極大信号レベルの入力のための前記極大ホールド検出器の出力部に結合された第１の入力部を持つ頂上検出器（３）と、前記交流成分の存在を示す出力信号を生成する対応する極小ホールド検出器及び谷検出器（２、４）とを持つ。ここで、前記頂上検出器は、前記信号を受信する第２の入力部を持ち、前記信号を前記極大信号レベルと比較し、前記信号が前記極大信号レベルよりも下に降下した場合に頂上検出信号を出力するための比較器を持つ。前記電子回路は、変化する前記信号の直流成分に関わりなく、前記交流成分の検出を提供する。前記回路は同一チャネル干渉及び／又はマルチパス干渉の検出のために使用されることができる。
2004520774.tif 000002
【特許請求の範囲】
【請求項１】
信号の交流成分を検出する電子回路であって、前記電子回路は、
前記信号によって到達された極大信号レベルを保持する極大ホールド検出器手段と、
前記極大信号レベルの入力のための、前記極大ホールド検出器手段の出力部と結合された第１の入力部を持ち、前記信号を受信する第２の入力部を持ち、前記信号を前記極大信号レベルと比較する手段及び前記信号が前記極大信号レベルより下に降下した場合に頂上検出信号を出力する手段を持つ頂上検出器手段と、
前記信号によって到達された極小信号レベルを保持する極小ホールド検出器手段と、
前記極小信号レベルの入力のための、前記極小ホールド検出器手段の出力部と結合された第１の入力部を持ち、前記信号を受信する第２の入力部を持ち、前記信号を前記極小信号レベルと比較する手段及び前記信号が前記極小信号レベルより上に増加した場合に谷検出信号を出力する手段を持つ谷検出器手段とを有し、
前記頂上検出信号及び前記谷検出信号は前記交流成分を示すものである電子回路。
【請求項２】
前記頂上検出信号を出力する手段は、前記信号が前記極大信号レベルよりも第１の閾値だけ下に降下した場合に前記頂上検出信号を出力し、前記谷検出信号を出力する手段は、前記信号が前記極小信号レベルよりも第２の閾値だけ上に増加した場合に前記谷検出信号を出力する、請求項１に記載の電子回路。
【請求項３】
前記谷検出器手段は前記頂上検出信号によりイネーブルにされ、前記頂上検出器手段は前記谷検出信号によりイネーブルにされる、請求項１又は２に記載の電子回路。
【請求項４】
前記谷検出器手段は前記頂上検出器手段がイネーブルにされているときはディスエーブルにされ、前記頂上検出器手段は前記谷検出器手段がイネーブルにされているときはディスエーブルにされる、請求項１、２又は３に記載の電子回路。
【請求項５】
信号の交流成分を検出する電子回路であって、前記電子回路は、
前記信号が極大信号レベルより下に降下した場合に、計数器に結合された頂上検出信号を出力する頂上検出器手段と、
前記信号が極小信号レベルより上に増加した場合に、前記計数器に結合された谷検出信号を出力する谷検出器手段と、
計数値を計数閾値と比較し、前記計数値が前記計数閾値を越えている場合に交流検出信号を出力する手段を有する電子回路。
【請求項６】
前記計数器を周期的にリセットするための前記計数器に結合されたタイマーを更に有する、請求項５に記載の電子回路。
【請求項７】
前記交流検出信号に応じてフラグをセットする手段を更に有する、請求項５又は６に記載の電子回路。
【請求項８】
直流成分を持つ信号を出力する中間周波数レベル検出器手段と、
請求項１乃至７のいずれか１項に記載の前記信号の交流成分を検出する電子回路とを有する干渉検出器。
【請求項９】
前記交流成分を検出するため、前記信号が前記電子回路に供給される前に、前記信号をフィルタリングするローパスフィルタ手段を更に有する、請求項８に記載の干渉検出器。
【請求項１０】
請求項１乃至７のいずれか１項に記載の電子回路とマイクロプロセッサ手段とを有し、前記マイクロプロセッサ手段は、干渉を示す目的のため前記電子回路からの前記頂上検出信号及び前記谷検出信号又は前記交流検出信号を受信する入力部を持つ受信機。
【請求項１１】
信号の交流成分を検出する方法であって、前記方法は、
前記信号によって到達された極大信号レベルを保持するステップと、
前記極大信号レベルを実際の信号レベルと比較するステップと、
前記実際の信号が前記極大信号レベルより下に降下した場合に頂上検出信号を出力するステップと、
前記信号によって到達された極小信号レベルを保持するステップと、
前記実際の信号を前記極小信号レベルと比較するステップと、
前記実際の信号が前記極小信号レベルより上に増加した場合に谷検出信号を出力するステップと、
前記頂上検出信号及び前記谷検出信号に基づいて前記交流成分を示すステップとを有する方法。
【請求項１２】
前記実際の信号が前記極大信号レベルよりも第１の閾値だけ下に降下した場合に前記頂上検出信号が出力され、前記信号が前記極小信号レベルよりも第２の閾値だけ上に増加した場合に前記谷検出信号が出力される、請求項１１に記載の方法。
【請求項１３】
前記谷検出がイネーブルにされているときには前記頂上検出はディスエーブルにされ、前記頂上検出がイネーブルにされているときには前記谷検出はディスエーブルにされる、請求項１１又は１２に記載の方法。
【請求項１４】
信号の交流成分を検出する方法であって、前記方法は、
前記信号が極大信号レベルより下に降下した場合に頂上検出信号を出力するステップと、
前記信号が極小信号レベルより上に増加した場合に谷検出信号を出力するステップと、
前記頂上検出信号及び前記谷検出信号を計数するステップと、
前記計数された値を計数閾値と比較するステップと、
前記計数された値が前記計数閾値を超えている場合に交流検出信号を出力するステップとを有する方法。
【請求項１５】
所定の時間間隔で前記計数をリセットするステップを更に有する、請求項１４に記載の方法。
【発明の詳細な説明】
【０００１】
【発明の属する技術分野】
本発明は、特に通信システムにおける適用のための、信号中の交流成分の検出の分野に関し、更に詳細には同一チャネル干渉（ｃｏ−ｃｈａｎｎｅｌ ｉｎｔｅｒｆｅｒｅｎｃｅ）及びマルチパス干渉（ｍｕｌｔｉ ｐａｔｈ ｉｎｔｅｒｆｅｒｅｎｃｅ）の検出に関する。
【０００２】
【従来の技術】
先行技術より、直流（ＤＣ）のオフセットを持つ信号中の低周波成分の検出のための、種々の従来の検出器が知られている。かような検出器は典型的に、直流遮断器（ｄｉｒｅｃｔ ｃｕｒｒｅｎｔ ｂｌｏｃｋｅｒ）と、残りの交流成分の振幅を検出するための振幅検出器とを含む。
【０００３】
この目的のため前記直流遮断器は、前記振幅検出器が低周波交流成分を検出できるようにするために、非常に低いカットオフ周波数（例えば０．１Ｈｚ）を持つ必要がある。その結果として、かような直流遮断器のステップ応答は何秒かのオーダーの安定時間を持つ。前記低周波交流成分の検出は、前記直流遮断器の出力が安定し、その最終値に達した後にのみ開始できる。この故に、前記交流成分の検出のために必要とされる時間は比較的長く、幾つかの適用のためには許容できるものではない。
【０００４】
米国特許第４，９９８，２８９号は、セルラー無線電話通信システムにおいて利用される干渉検出回路を示す。前記回路は、チャネルの角度変調された信号を受信し、対数エンベロープ（ｌｏｇａｒｉｔｈｍｉｃ ｅｎｖｅｌｏｐｅ）出力信号を供給するための対数エンベロープ検出器と、前記対数エンベロープから特定の範囲の不要な周波数を除去するハイパスフィルタと、フィルタリングされた出力信号のレベルを示すレベル検出器とを含む。
【０００５】
【発明が解決しようとする課題】
前記レベル検出器の出力は、角度変調された周波数信号における干渉の量を表す。前記レベル検出器は、エンベロープ関数の極大と極小とをそれぞれ検出するための極大ピーク検出器と極小ピーク検出器とを含む。閾値レベルが越えられた場合、同一チャネル干渉及び／又はマルチパス干渉が許容レベルを超えたことを示すために、マイクロコンピュータが警告される。小さな電圧のリップル（ｒｉｐｐｌｅ）も電圧の振動として検出され、その結果前記レベル検出器に提供される出力はランダム的なものになり得るため、この従来技術のレベル検出器は不十分なものである。
【０００６】
従って、前述の不十分さを克服する、信号の交流成分を検出するための検出技術が必要とされる。
【０００７】
それ故本発明の目的は、信号の交流成分を検出する改善された電子回路及び方法を提供することにある。
【０００８】
本発明の他の目的は、高度な正確さを持つ、交流成分の高速な検出のための方法及び電子回路を提供することにある。
【０００９】
本発明の更に詳細な目的は、改善された同一チャネル干渉及び／又はマルチパス干渉の検出を備えた受信機を提供することにある。
【００１０】
【課題を解決するための手段】
本発明の目的は、基本的にそれぞれの独立請求項の特徴を適用することにより解決される。
【００１１】
本発明は、効率的かつ信頼性の高い方法で、直流のオフセットを持つ信号中の交流成分の検出を可能とする。本発明は、前記信の直流成分が変化する場合であっても利用されることができる。このことは、所望の周波数へのチューニングの間の受信器における適用に対して特に有益である。
【００１２】
本発明の他の利点は、前記交流成分の検出が最小の時間遅延により実行されることができることにある。これは、典型的に秒のオーダーの安定時間を持つ直流遮断器が必要とされないという事実によるものである。逆に、交流成分の検出は前記直流成分を含む前記信号に対して直接実行される。
【００１３】
前記検出の信頼性は、ホールド検出器が頂上（ｔｏｐ）及び谷（ｄａｌｅ）検出器とそれぞれ共に利用される場合、更に増大する。このことは、前記信号がピーク値に対する所定の最小のピーク・トゥ・ピーク値を持つ波形を持つ場合にのみ、前記信号の極大及び極小を示すことを可能とする。このことは、小さな信号のリップルによる前記検出器のランダム的な出力信号を回避する。
【００１４】
本発明の好適な実施例においては、前記頂上検出器と前記谷検出器とを交互にイネーブルにする（ｅｎａｂｌｅ）ことによって、前記検出の信頼性が更に増大される。このようにして、一定の時間においては、前記頂上検出器又は前記谷検出器のみがイネーブルにされている。このようにして、極大が以前に検出された場合には極小のみが検出されること、及びその逆が保証される。
【００１５】
本発明の他の態様においては、前記交流成分の極大及び極小の検出のための検出信号が計数される。計数値は、計数閾値と比較される。前記計数値が前記計数閾値を超えている場合、同一チャネル干渉及び／又はマルチパス干渉の許容レベルが超えられたことを示す。
【００１６】
本発明の好適な実施例においては、前記計数は所定の時間間隔で周期的にリセットされる。
【００１７】
本発明の付加的な目的及び特徴は、図と共に参照される場合に以下の詳細な説明及び添付される請求項により更に容易に明らかとなるであろう。
【００１８】
【発明の実施の形態】
図１は入力信号Ｓ１の交流成分を検出する電子回路を示す。入力信号Ｓ１は極大ホールド検出器１及び極小ホールド検出器２に供給され、同様に頂上検出器３及び谷検出器４にと同様に供給される。
【００１９】
極大ホールド検出器１は、頂上検出器３に入力される出力信号Ｓ２を持つ。極大ホールド検出器１により生成された信号Ｓ２は、極大ホールド検出器１の最後のリセット後に、前記入力信号が到達した極大値を表す。同様に、極小ホールド検出器２は、谷検出器４に入力される出力信号Ｓ４を持つ。極小ホールド検出器２により生成された信号Ｓ４は、極小ホールド検出器２の最後のリセット後の、前記入力信号の極小値を表す。
【００２０】
頂上検出器３は、入力信号Ｓ１中の極大の検出を示す出力信号Ｓ３を持つ。同様に谷検出器４は、入力信号Ｓ１中の極小の検出を示す出力信号Ｓ５を持つ。
【００２１】
頂上検出器３の信号Ｓ３は、リセットパルスとして谷検出器４及び極小ホールド検出器２に供給される。言い換えると、信号Ｓ３により示される前記入力信号の極大の検出は、前記入力信号の次の極小の検出のために、極小ホールド検出器２及び谷検出器４をリセットする。
【００２２】
同様に谷検出器４の信号Ｓ５は、極小が検出された後の前記入力信号の極大の検出を可能とするため、リセットパルスとして極大ホールド検出器及び頂上検出器３に供給される。更に頂上検出器３及び谷検出器４は、検出器閾値信号を入力するための制御入力Ｔｈを持つ。
【００２３】
前記検出器閾値信号は、入力信号の極大及び極小の検出のための閾値を表す。前記検出器閾値は、適切な電圧の変動と見なされるべき、前記入力信号の波形の極大と次の極小との間の最小のピーク・トゥ・ピーク値を規定する。この目的のため、頂上検出器３は入力信号Ｓ１を信号Ｓ２と比較する。
【００２４】
入力信号Ｓ１が信号Ｓ２よりも前記検出器閾値だけ下に降下した場合にのみ、信号Ｓ３は入力信号の極大の検出を示すために頂上検出器３により出力される。同様に、谷検出器４は入力信号Ｓ１と信号Ｓ４とを比較する。入力信号Ｓ１が信号Ｓ４と比べて前記検出器閾値だけ増加した場合のみ、谷検出器４は前記入力信号の極小の検出を示すため信号Ｓ５を出力する。このように検出されるべき許容されないレベルの交流成分は、前記検出器閾値を用いて規定されることができる。
【００２５】
信号Ｓ３及びＳ５は、それぞれの信号パルスの計数のために計数器５に供給される。計数器５はタイマー６に結合されたリセット装置を持つ。タイマー６は所定の時間間隔で計数器５をリセットする。
【００２６】
代わりにＡＭ受信機（図２には図示していない）が特定の周波数に同調される。計数器５はリセットされ、所定の時間、信号Ｓ３及びＳ５により供給されるパルスを計数する。前記時間が経過した後、干渉フラグ９がチェックされる。このとき前記検出器は前記受信機が新たな周波数に同調されるまでディスエーブルにされる（ｄｉｓａｂｌｅｄ）。
【００２７】
計数器５は比較器７に結合された出力部を持つ。比較器７は計数器５の計数値を、比較器７に結合されたメモリ８によって供給される閾値と比較する。計数器５の前記計数値がメモリ８の前記閾値を超えている場合、計数器７はフラグ９をセットするために出力信号を生成する。フラグ９がセットされている場合は、交流成分が検出されたことを示す。これはとりわけ、許容できないレベルの同一チャネル及び／又はマルチパス干渉の検出のために利用されることができる。
【００２８】
前記検出処理が開始する前に、対応する制御信号を極大ホールド検出器１及び極小ホールド検出器２のそれぞれの入力部に供給することにより、極大ホールド検出器１及び極小ホールド検出器２は追従モードに切り替えられる。この場合、極大ホールド検出器１及び極小ホールド検出器２の出力は、入力信号Ｓ１と等しいため、前記検出器は開始する正確な初期値を持つ。このことは検出の速度を更に改善する。
【００２９】
図２は図１の入力信号Ｓ１の波形の例を示す。
【００３０】
信号Ｓ１は極小点ＭＩＮ１と続く極大点ＭＡＸ１を持つ。極小点ＭＩＮ１は、信号Ｓ１が極小点ＭＩＮ１に対して検出器閾値Ｔｈだけ増加したときに、図１の谷検出器４によって検出される。この点における極小点ＭＩＮ１の検出は、極大ホールド検出器１及び頂上検出器３を共にリセットすることにより、頂上検出器３をイネーブルにさせる。その結果、信号Ｓ１が信号レベルＭＡＸ１よりも検出器閾値Ｔｈだけ下に降下したときに、極大点ＭＡＸ１が検出される。頂上検出器３の対応する出力パルス（信号Ｓ３）は、信号Ｓ１の次の極小点の検出のために谷検出器４をイネーブルにさせる。
【００３１】
図３は、図１の回路の入力信号Ｓ１の波形の他の例を示す。図３において、信号Ｓ１の波形の下に、極大ホールド検出器１（図１を参照のこと）の出力部において生成される信号Ｓ２が図示されている。信号Ｓ２の下には信号Ｓ３が図示されている。信号Ｓ３は、信号Ｓ１が極大に達した後に検出器閾値Ｔｈだけ再び降下したときの、頂上検出器３（図１を参照のこと）によって出力されるパルスのシーケンスから成る。
【００３２】
図３において、信号Ｓ３の下には極小ホールド検出器２（図１を参照のこと）の信号Ｓ４が図示されている。図３より明らかなように、信号Ｓ３の各パルスは極小ホールド検出器２をリセットし、その結果対応する信号Ｓ４の波形となる。更に信号Ｓ５が信号Ｓ４の下に示されている。
【００３３】
信号Ｓ５もパルスの連続から成る。各パルスは信号Ｓ１中の極小の検出を示す。パルスは、信号Ｓ１が前の極小に到達した後に検出閾値Ｔｈだけ増加した後の谷検出器４による出力にすぎない。
【００３４】
図４は同一チャネル干渉検出器を示す。同一チャネル干渉検出器は典型的に通信システム及び受信器、特に携帯電話及びカーラジオシステムにおいて利用される。
【００３５】
振幅変調された中間周波数信号ＡＭ−ＩＦが、図４に示されていない受信器回路によって供給される。前記ＡＭ−ＩＦ信号は中間周波数レベル検出器１０に入力され、該中間周波数レベル検出器１０は、同一チャネル干渉及び／又はマルチパス干渉の場合にリップルを持つ直流出力信号を生成する。前記リップルの周波数は凡そ１から４０Ｈｚである。
【００３６】
中間周波数レベル検出器１０の出力信号は、ローパスフィルタ１１によってローパスフィルタリングをかけられる。ローパスフィルタ１１は４０Ｈｚのカットオフ周波数を持つため、音声周波数成分は除去され、直流及びリップル成分は通過する。ローパスフィルタ１１の出力は、図１において図示されたような型の回路１２へ供給される。回路１２は同一チャネル干渉及び／又はマルチパス干渉の存在を示すための出力信号を持つ。回路１２の出力信号は、干渉の存在を示すため、図４の受信器のマイクロプロセッサ（図には示されていない）に供給されることができる。
【図面の簡単な説明】
【図１】交流成分を検出する回路の実施例のブロック図である。
【図２】図１の回路を用いた交流成分の検出を示す信号図である。
【図３】前記回路の動作を示すための図１の回路の種々の内部信号を示す。
【図４】同一チャネル干渉の検出を含む受信器のブロック図である。
【符号の説明】
１  極大ホールド検出器
２  極小ホールド検出器
３  頂上検出器
４  谷検出器
５  計数器
６  タイマー
７  比較器
８  メモリ
９  フラグ
１０  中間周波数レベル検出器
１１  ローパスフィルタ
１２  回路
【図１】
2004520774.tif 000003
【図２】
2004520774.tif 000004
【図４】
2004520774.tif 000005
【国際公開パンフレット】
2004520774.tif 000006
2004520774.tif 000007
2004520774.tif 000008
2004520774.tif 000009
2004520774.tif 000010
2004520774.tif 000011
2004520774.tif 000012
2004520774.tif 000013
2004520774.tif 000014
2004520774.tif 000015
2004520774.tif 000016
2004520774.tif 000017
2004520774.tif 000018
2004520774.tif 000019
2004520774.tif 000020
【国際公開パンフレット（コレクトバージョン）】
2004520774.tif 000021
【国際調査報告】
2004520774.tif 000022
2004520774.tif 000023
2004520774.tif 000024